(57)【要約】【課題】  コンクリート製のフランジをコンクリート製マンホールの直円筒の外表面に容易に組み付け、確実にフランジを直円筒の外表面に支持すると共に、フランジの内径に多少の誤差があってもフランジを直円筒の外表面に組み付け可能とするマンホールの地震などによる突上げ浮上の防止構造を提供する。【解決手段】  コンクリート製マンホールの直円筒９の外表面に設けられる複数の支持部材１で支持されるフランジ１０を備えたマンホールの地震などによる突上げ浮上の防止構造において、前記複数の支持部材のそれぞれが、上方部分に外表面が階段状に順次肉厚となるクサビ型のフランジ係止部５が備えられ、中間部分にマンホール壁へのコンクリート釘６の挿入孔７が備えられ、下方部分に下面が上方に傾斜して打撃受面となる支持部材の押し込み部８が備えられたマンホールの地震などによる突上げ浮上の防止構造。【選択図】        図４
2010013888.tif 000002
【特許請求の範囲】
【請求項１】
コンクリート製マンホールの直円筒の外表面に設けられる複数の支持部材で支持されるフランジを備えたマンホールの地震などによる突上げ浮上の防止構造において、前記複数の支持部材のそれぞれが、上方部分に外表面が階段状に順次肉厚となるクサビ型のフランジ係止部を備え、中間部分にマンホール壁へのコンクリート釘の挿入孔を備え、下方部分に下面が上方に傾斜して打撃受面となる支持部材の押し込み部を備えたことを特徴とするマンホールの地震などによる突上げ浮上の防止構造。
【発明の詳細な説明】
【技術分野】
【０００１】
本発明は、コンクリート製マンホールの直円筒の外表面に設けられる複数の支持部材で支持されるフランジを備えたマンホールの地震などによる突上げ浮上の防止構造に関するものである。
【背景技術】
【０００２】
従来，コンクリート製マンホールの直円筒の外表面に設けられる複数の支持部材で支持されるフランジを備えたマンホールの地震などによる突上げ浮上の防止構造において、突上げ浮上防止用のひれをマンホールの直円筒の外表面の全周または部分的に１乃至複数段設けたものがある（例えば特許文献１参照。）。
また、耐震化マンホールの構造として、コンクリート製の路盤材支持用床板をマンホールの調整環ブロックの間にマンホール構造体の外壁面の略水平方向にの延設させたものがある（例えば特許文献２参照。）。
【０００３】
【特許文献１】特開２００６−１５２５４２号公報
【特許文献２】特開２００７−１６９９２７号公報
【発明の開示】
【発明が解決しようとする課題】
【０００４】
ところで、前記従来技術の前者では、ひれ同士を連結するためにボルトナットを使用し、又マンホールの直円筒の外表面にひれを取り付けるために埋め込みインサートナットとボルト若しくはアンカー等を用いて、ひれを取り付けるための部材の加工及び取り付け作業が容易にできない虞があった。
また、前記従来技術の後者では、コンクリート製の路盤材支持用床板はマンホール構造体のマンホールの調整環ブロックの間に配置されることから、コンクリート製の路盤材支持用床板の設置が容易でない虞があった。
【０００５】
本発明は、従来の技術の有するこのような問題点に鑑みてなされたものであり、その目的とするところは、コンクリート製のフランジをコンクリート製マンホールの直円筒の外表面に容易に組み付け、確実にフランジを直円筒の外表面に支持すると共に、フランジの内径に多少の誤差があってもフランジを直円筒の外表面に組み付け可能とするマンホールの地震などによる突上げ浮上の防止構造を提供しようとするものである。
【課題を解決するための手段】
【０００６】
上記目的を達成するために、本発明におけるマンホールの地震などによる突上げ浮上の防止構造は、コンクリート製マンホールの直円筒の外表面に設けられる複数の支持部材で支持されるフランジを備えたマンホールの地震などによる突上げ浮上の防止構造において、前記複数の支持部材のそれぞれが、上方部分に外表面が階段状に順次肉厚となるクサビ型のフランジ係止部を備え、中間部分にマンホール壁へのコンクリート釘の挿入孔を備え、下方部分に下面が上方に傾斜して打撃受面となる支持部材の押し込み部を備えたものである。
【発明の効果】
【０００７】
本発明においては、コンクリート製マンホールの直円筒の外表面に設けられる複数の支持部材で支持されるフランジを備えたマンホールの地震などによる突上げ浮上の防止構造において、前記複数の支持部材のそれぞれが、上方部分に外表面が階段状に順次肉厚となるクサビ型のフランジ係止部を備え、中間部分にマンホール壁へのコンクリート釘の挿入孔を備え、下方部分に下面が上方に傾斜して打撃受面となる支持部材の押し込み部を備えたものとしたことから、コンクリート製のフランジをコンクリート製マンホ―ルの直円筒の外表面に容易に組み付け、確実にフランジを直円筒の外表面に支持すると共に、フランジの内径に多少の誤差があってもフランジを直円筒の外表面に組み付け可能とするマンホールの地震などによる突上げ浮上の防止構造となる。
【発明を実施するための最良の形態】
【０００８】
コンクリート製マンホールの直円筒の外表面に設けられる複数の支持部材で支持されるフランジを備えたマンホールの地震などによる突上げ浮上の防止構造において、前記複数の支持部材のそれぞれが、上方部分に外表面が階段状に順次肉厚となるクサビ型のフランジ係止部を備え、中間部分にマンホール壁へのコンクリート釘の挿入孔を備え、下方部分に下面が上方に傾斜して打撃受面となる支持部材の押し込み部を備えたものである。
【実施例１】
【０００９】
図１ないし図４は本発明の実施例に関するものであり、図１は本発明のマンホールの地震などによる突上げ浮上の防止構造の支持部材の平面図、図２は図１のＡ−Ａ断面図、図３はマンホールの直円筒にフランジを配置して複数の支持部材で支持する説明図、図４は支持部材で支持する要部拡大断面図である。
【００１０】
図において、１は支持部材であり、該支持部材１は上方部分２と中間部分３と下方部分４とで構成され、強化合成樹脂（例えばＦＲＰ。）で一体成形されている。
【００１１】
前記支持部材１の上方部分２には、外表面が階段状に下部位が順次肉厚となるクサビ型の係止部５が形成されている。
【００１２】
支持部材１の中間部分３には、マンホール壁へのコンクリート釘６の打込用の挿入孔７が穿設されている。
【００１３】
支持部材１の下方部分４には、下面が上方に傾斜（例えば３０度。）して打撃受面となる支持部材１の押し込み部８が形成されている。
【００１４】
以上のような構成からなる支持部材１を複数個（例えば六個。）用意して、図３に示すようにコンクリート製マンホールの直円筒９にクレーン等によりコンクリート製のフランジ１０を吊しながら（図示せず。）直円筒９に配置する。図３において、フランジ１０は平面視円形であるが平面視角形のフランジでもよいものとする。
【００１５】
マンホール壁にフランジ１０を組付けるには、先づフランジ１０の位置が決まったところで、フランジ１０の下面と直円筒９の外壁の間に支持部材１のクサビ型の係止部５を配置し、そして下面が上方に傾斜（例えば３０度。）して打撃受面となる支持部材１の押し込み部８を金槌等で打撃することにより、フランジ１０は重量があるのでクサビ型の係止部５はフランジ１０の下面側から直円筒９の外壁の間に挿着される。ここで、クサビ型の係止部５の外表面が階段状に下部位が順次肉厚となっている部分が押し込み部８からの打撃により潰されることからフランジ１０の内径が多少の誤差があっても、直円筒９の外壁とフランジ１０との間の間隙の寸法差は打ち込まれるクサビの打込量の調整により該寸法差による係止の不具合は解消されるので、フランジ１０は確実に直円筒９の外壁に係止される。また、押し込み部８の下面が上方に傾斜（例えば３０度。）して打撃受面を形成していることにより、作業者は金槌等で打撃受面を容易に打撃することができる。
【００１６】
そして、係止部５の位置が決定したときに、支持部材１の中間部分３に穿設されたコンクリート釘６の挿入孔７からコンクリート釘６を直円筒９の外壁に向けて打ち付けることにより、支持部材１は直円筒９の外壁に確実に固定される（図４参照。）。
【００１７】
そして、同様な方法でフランジ１０の下面と直円筒９の外壁の間に等間隔で複数個の支持部材１，１，…を設置することにより、コンクリート製のフランジ１０をコンクリート製マンホ―ルの直円筒９の外表面に容易に組み付けることができて、確実にフランジ１０を直円筒９の外表面に支持することができる。
【００１８】
なお、図３，図４に示すように、フランジ１０の上面と直円筒９の外壁の間に前記支持部材１，１，…と同様な構成の係止部材１１，１１，…を支持部材１と対向した部位に設置することも可能であり、フランジ１０の下面と上面とを支持部材１，１，…と係止部材１１，１１，…とで固定することにより、フランジ１０はより確実に直円筒９の外壁に係止される。
【図面の簡単な説明】
【００１９】
【図１】本発明のマンホールの地震などによる突上げ浮上の防止構造の支持部材の平面図である。
【図２】図１のＡ−Ａ断面図である。
【図３】マンホールの直円筒にフランジを配置して複数の支持部材で支持する説明図である。
【図４】支持部材で支持する要部拡大断面図である。
【符号の説明】
【００２０】
１                        支持部材
２                        支持部材の上方部分
３                        支持部材の中間部分
４                        支持部材の下方部分
５                        係止部
６                        コンクリート釘
７                        コンクリート釘の挿入孔
８                        支持部材の押し込み部
９                        直円筒
１０                      フランジ
【図１】
2010013888.tif 000003
【図２】
2010013888.tif 000004
【図３】
2010013888.tif 000005
【図４】
2010013888.tif 000006